(57)【要約】      （修正有）【課題】オペレータ（キャッシャ）が入金の際や出金の際に紙幣の向きを揃える作業を行うことなく、金銭の受け渡しを行うことができる紙幣処理装置を提供する。【解決手段】紙幣処理装置１１は、紙幣を筐体内へ取り込む取込部と、前記筐体内に設けられ、紙幣を所定の金種毎に収納する収納部と、前記収納部に収納された前記紙幣を前記筐体外に出金する出金部と、前記取込部から前記収納部および前記収納部から前記出金部に至る搬送経路を構成する搬送部と、前記搬送経路に設けられ、前記紙幣の表裏方向および上下方向を識別する識別部と、前記識別部により前記紙幣の表裏方向および上下方向の組み合わせが一の組み合わせであると識別された前記紙幣を前記出金部から出金する紙幣揃え手段８１と、を備える。【選択図】図４
2016146066.tif 000002
【特許請求の範囲】
【請求項１】
紙幣を筐体内へ取り込む取込部と、
前記筐体内に設けられ、紙幣を所定の金種毎に収納する収納部と、
前記収納部に収納された前記紙幣を前記筐体外に出金する出金部と、
前記取込部から前記収納部および前記収納部から前記出金部に至る搬送経路を構成する搬送部と、
前記搬送経路に設けられ、前記紙幣の表裏方向および上下方向を識別する識別部と、
前記識別部により前記紙幣の表裏方向および上下方向の組み合わせが一の組み合わせであると識別された前記紙幣を前記出金部から出金する紙幣揃え手段と、
を備えることを特徴とする紙幣処理装置。
【請求項２】
前記識別部は、前記取込部から前記収納部に至る搬送経路を搬送される前記紙幣の表裏方向および上下方向を識別し、
前記紙幣揃え手段は、前記取込部で取り込まれた前記紙幣であって前記識別部により前記紙幣の表裏方向および上下方向の組み合わせが一の組み合わせであると識別された前記紙幣について、前記搬送部を制御して前記収納部に収納する、
ことを特徴とする請求項１記載の紙幣処理装置。
【請求項３】
前記識別部は、前記収納部から前記出金部に至る搬送経路を搬送される前記紙幣の表裏方向および上下方向を識別し、
前記紙幣揃え手段は、前記収納部から取り出された前記紙幣であって前記識別部により前記紙幣の表裏方向および上下方向の組み合わせが一の組み合わせであると識別された前記紙幣について、前記搬送部を制御して前記出金部から出金する、
ことを特徴とする請求項１記載の紙幣処理装置。
【請求項４】
前記収納部は、前記筐体外へ持ち出す前記紙幣を回収する回収庫を有し、
前記紙幣揃え手段は、前記識別部により前記紙幣の表裏方向および上下方向の組み合わせが一の組み合わせでないと識別された前記紙幣について、前記搬送部を制御して前記回収庫に収納する、
ことを特徴とする請求項２または３記載の紙幣処理装置。
【請求項５】
前記識別部は、前記搬送経路を搬送される前記紙幣の種別も識別し、
前記収納部は、前記識別部により前記紙幣の表裏方向および上下方向の組み合わせが一の組み合わせでないと識別された前記紙幣を収納するリジェクト庫を有し、
前記紙幣揃え手段は、前記識別部により前記紙幣の表裏方向および上下方向の組み合わせが一の組み合わせでないと識別された前記紙幣について、前記搬送部を制御して前記リジェクト庫に収納する、
ことを特徴とする請求項２または３記載の紙幣処理装置。
【発明の詳細な説明】
【技術分野】
【０００１】
本発明の実施形態は、紙幣処理装置に関する。
【背景技術】
【０００２】
従来、ＰＯＳ（Point  Of  Sales）端末やＥＣＲ（Electronic  Cash  Register）等の電子機器に接続して使用するのに適した紙幣釣銭機（紙幣処理装置）が知られている。
【０００３】
ところで、従来の紙幣釣銭機（紙幣処理装置）によれば、紙幣の向きを揃えた出金にするため、入金口への入金作業の際にオペレータが紙幣の向きを揃えるようにしている。このような紙幣の向きを揃える作業を入金の際に怠ると、出金の際に向きの違う紙幣が出金されることになる。このように向きの違う紙幣が出金された場合、オペレータは、紙幣の向きを揃え直してから客に渡すようにしている。
【０００４】
しかしながら、入金の際に紙幣の向きを揃える作業や、出金の際に紙幣の向きを揃える作業は、オペレータにとって大きな負担となっている。
【発明の概要】
【発明が解決しようとする課題】
【０００５】
本発明が解決しようとする課題は、オペレータ（キャッシャ）が出金の際に紙幣の向きを揃える作業を行うことなく、金銭の受け渡しを行うことができる紙幣処理装置を提供することである。
【課題を解決するための手段】
【０００６】
実施形態の紙幣処理装置は、紙幣を筐体内へ取り込む取込部と、前記筐体内に設けられ、紙幣を所定の金種毎に収納する収納部と、前記収納部に収納された前記紙幣を前記筐体外に出金する出金部と、前記取込部から前記収納部および前記収納部から前記出金部に至る搬送経路を構成する搬送部と、前記搬送経路に設けられ、前記紙幣の表裏方向および上下方向を識別する識別部と、前記識別部により前記紙幣の表裏方向および上下方向の組み合わせが一の組み合わせであると識別された前記紙幣を前記出金部から出金する紙幣揃え手段と、を備える。
【図面の簡単な説明】
【０００７】
【図１】図１は、第１の実施形態にかかる釣銭機およびＰＯＳ端末の外観を示す斜視図である。
【図２】図２は、ＰＯＳ端末、紙幣釣銭機および硬貨釣銭機の電気的接続関係を示すブロック図である。
【図３】図３は、紙幣釣銭機の内部を概略的に説明する平面図である。
【図４】図４は、紙幣釣銭機を構成する各ハードウェアの電気的接続を示すブロック図である。
【図５】図５は、紙幣処理の流れを示すフローチャートである。
【図６】図６は、第２の実施形態にかかる紙幣処理の流れを示すフローチャートである。
【図７】図７は、セルフＰＯＳの構成を示す外観斜視図である。
【発明を実施するための形態】
【０００８】
実施形態について図面を用いて説明する。
【０００９】
（第１の実施形態）
図１は、第１の実施形態にかかる釣銭機１およびＰＯＳ（Point  Of  Sales：販売時点情報管理）端末２の外観を示す斜視図である。
【００１０】
図１に示すように、釣銭機１は、紙幣釣銭機１１および硬貨釣銭機１２を有する。紙幣処理装置である紙幣釣銭機１１は、紙幣を識別して収納し、釣銭としての紙幣を出金する。硬貨釣銭機１２は、硬貨を識別して収納し、釣銭としての硬貨を出金する。
【００１１】
販売データ処理装置であるＰＯＳ端末２は、一般に、一店舗に複数台備え付けられる。ＰＯＳ端末２は、ユニークなレジナンバーを割り振られて精算場所に配設されている。キャッシャ（オペレータ）は、売上処理にＰＯＳ端末２を用いる。ＰＯＳ端末２は、キーボード２１、表示器２２、カードリーダ／ライタ２３、コードスキャナ（不図示）などを備えている。
【００１２】
ＰＯＳ端末２は、店舗内にあるストアコントローラ（不図示）にＬＡＮ（Local  Area  Network）で接続されている。ストアコントローラは、店舗外の本部にあるサーバ（不図示）と専用回線で接続されている。ストアコントローラは、サーバとデータの送受信（商品情報のダウンロードや販売データのアップロードなど）を行う。
【００１３】
ＰＯＳ端末２は、コードスキャナにより読み取ったバーコードや二次元コード等の形態で各商品に付加された商品コードをストアコントローラに通知することで商品の問い合わせを行う。ストアコントローラは、商品マスタファイルを検索してＰＯＳ端末２から問い合わせがあった商品コードに対応した商品情報（単価など）を読み出す。そして、ストアコントローラは、問い合わせがあった商品コードに対応した商品情報（単価など）をＰＯＳ端末２へ送信する。ＰＯＳ端末２は、ストアコントローラから、商品コードに対応する商品の単価などを取得する。また、ＰＯＳ端末２は、購入対象となった商品の単価および販売個数に基づき、これら商品の総額を算出し精算等の処理を行って売上データを生成する。ＰＯＳ端末２は、生成した売上データを所定のタイミングでストアコントローラに送信する。
【００１４】
図２は、ＰＯＳ端末２、紙幣釣銭機１１および硬貨釣銭機１２の電気的接続関係を示すブロック図である。図２に示すように、ＰＯＳ端末２は、紙幣釣銭機１１と接続されている。また、硬貨釣銭機１２は、紙幣釣銭機１１と接続されている。図２に示すように、硬貨釣銭機１２は、ＰＯＳ端末２とは紙幣釣銭機１１を介して間接的に接続されている。すなわち、硬貨釣銭機１２は、ＰＯＳ端末２からの制御信号を紙幣釣銭機１１を介して受信する。
【００１５】
次に、紙幣釣銭機１１について詳述する。
【００１６】
図３は、紙幣釣銭機１１の内部を概略的に説明する平面図である。紙幣釣銭機１１は、筐体３１、取込部３２、出金部３３、識別部３４、収納部３５、および搬送部３６を備えている。また、収納部３５は、千券収納庫４１、五千券収納庫４２、万券収納庫４３、リジェクト庫４４、および回収庫４５を備えている。
【００１７】
取込部３２は、図１に示すように、筐体３１に形成された入金口３２ａを有している。取込部３２は、入金口モータ５７（図４参照）によって駆動されるものであって紙幣を挟持して搬送するベルト機構（図示せず）を主体に構成されている。取込部３２は、入金口３２ａに差し込まれた紙幣をベルト機構の駆動によって筐体３１内へ取り込む。
【００１８】
出金部３３は、図１に示すように、筐体３１に形成された出金口３３ａを有している。出金部３３は、出金口モータ５８（図４参照）によって駆動されるものであって紙幣を挟持して搬送するベルト機構（図示せず）を主体に構成されている。出金部３３は、出金口３３ａから釣銭としての紙幣をベルト機構の駆動によって筐体３１外へ出金する。
【００１９】
搬送部３６は、取込部３２から識別部３４を経て収納部３５の各収納庫４１〜４５へと至る搬送経路を構成し、識別部３４の識別結果に応じて紙幣を搬送する。また、搬送部３６は、各収納庫４１〜４４に収納された紙幣を回収庫４５に回収する場合に、各収納庫４１〜４４から回収庫４５へと至る搬送経路を構成し、紙幣を搬送する。さらに、搬送部３６は、収納部３５から出金部３３へと至る搬送経路を構成し、釣銭としての紙幣を搬送する。
【００２０】
識別部３４は、取込部３２から収納部３５の各収納庫４１〜４５へと至る搬送経路に設けられ、当該搬送経路を搬送される紙幣の種別を識別する。加えて、識別部３４は、搬送経路を搬送される紙幣の向きを識別する。
【００２１】
収納部３５は、識別部３４の識別結果に応じた搬送部３６の搬送動作によって選別された紙幣を収納する。
【００２２】
より詳細には、搬送部３６は、搬送モータ６４（図４参照）によって駆動されるものであって紙幣を挟持して搬送するベルト機構（図示せず）を主体に構成されている。また、搬送部３６は、ベルト機構に形成される主搬送路３６１から分岐する複数の分岐搬送路３６２〜３６４を設けている。搬送部３６は、主搬送路３６１から分岐搬送路３６２〜３６４への分岐部分に、切換機構３６５〜３６７を設けている。切換機構３６５〜３６７は、分岐搬送路３６２〜３６４を開閉する複数のガイド（図示せず）を電磁アクチュエータ６５（図４参照）によって識別部３４の識別結果に応じて選択的に動作させることにより、主搬送路３６１から所望の収納部３５の各収納庫４１〜４４に通じる分岐搬送路３６２〜３６４へ経路を切り換える。
【００２３】
なお、識別部３４が紙幣の真贋判定で不合格とした場合には、搬送部３６は、取り込んだ物を取込部３２の入金口３２ａへと戻すような搬送操作を行う。これにより、搬送部３６は、取り込んだ物を識別部３４から収納部３５までの搬送経路から取り除き、収納部３５に収納させない。
【００２４】
千券収納庫４１は、識別部３４により千円札であるとされて搬送部３６によって搬送された紙幣を収納する。五千券収納庫４２は、識別部３４により五千円札であるとされて搬送部３６によって搬送された紙幣を収納する。万券収納庫４３は、識別部３４により一万円札であるとされて搬送部３６によって搬送された紙幣を収納する。
【００２５】
リジェクト庫４４は、取込部３２で取り込まれた紙幣であって識別部３４により紙幣の表裏方向および上下方向の組み合わせが一の組み合わせでないと識別され、搬送部３６によって搬送された紙幣を収納する。ここで、紙幣の表裏方向とは、例えば紙幣に印刷された人物の肖像が印刷された面を表面とする紙幣の方向である。また、紙幣の上下方向とは、例えば紙幣に印刷された人物の肖像の頭を上とする方向である。さらに、一の組み合わせとは、例えば紙幣の表裏方向の向き、上下方向の向きを揃えた一の組み合わせである。
【００２６】
回収庫４５は、筐体３１に着脱自在に収納される容器である。回収庫４５は、千券収納庫４１、五千券収納庫４２、万券収納庫４３、およびリジェクト庫４４に収納された各種紙幣を筐体３１外へ持ち出す場合に、各収納庫４１〜４４から回収した紙幣を収める容器である。また、回収庫４５は、二千円札の収納庫としても用いるようにしても良い。
【００２７】
図４は、紙幣釣銭機１１を構成する各ハードウェアの電気的接続を示すブロック図である。
【００２８】
図４に示すように、紙幣釣銭機１１は、制御部（ＣＰＵ：Central  Processing  Unit）５１、ＲＯＭ（Read  Only  Memory）５２、ＲＡＭ（Random  Access  Memory）５３、通信Ｉ／Ｆ（インタフェース）５４、およびブザー５５を備えている。また、紙幣釣銭機１１は、筐体３１に、操作キー３８および表示器３９を備えている。
【００２９】
取込部３２は、入金口センサ５６および入金口モータ５７を備えている。出金部３３は、出金口モータ５８および出金口センサ５９を備えている。識別部３４は、識別センサ６０をさらに備えている。収納部３５は、収納庫センサ６１、収納庫入口シャッタ６２および回収庫センサ６３を備えている。搬送部３６は、搬送モータ６４および電磁アクチュエータ６５を備えている。
【００３０】
通信Ｉ／Ｆ５４は、ＰＯＳ端末２の通信Ｉ／Ｆ（図示せず）および硬貨釣銭機１２の通信Ｉ／Ｆ（図示せず）と有線または無線で接続し、相互なデータの送受信を可能とする。ブザー５５は、音声でオペレータにエラーなどを知らせる。表示器３９は、文字などでオペレータにエラーなどを知らせる。操作キー３８は、オペレータによる操作を受け付ける。
【００３１】
入金口センサ５６は、入金口３２ａに設けられている。入金口センサ５６は、入金口３２ａに差し込まれた紙幣を検知する。入金口モータ５７は、入金口センサ５６が紙幣を検知すると動作し、紙幣を取り込む。出金口モータ５８は、出金口３３ａまで紙幣を押し上げる。出金口センサ５９は、出金口３３ａに設けられている。出金口センサ５９は、出金口３３ａに押し出された紙幣を検知する。
【００３２】
識別センサ６０は、紙幣の真贋判定および紙幣の種別を識別する。より詳細には、識別センサ６０は、例えば光線の遮断を検知する受光センサ、光の透過光あるいは反射光を検知する可視光センサおよび磁気インクを読み取る磁気センサである。識別部３４は、受光センサで検知した紙幣の幅や長さといった物理的な違いで券種の違いを判別する。また、識別部３４は、可視光センサで紙質、厚み、色などを検知して偽造紙幣を判定する。さらに、識別部３４は、磁気センサで読み取った磁気データが予め記憶されているその券種の磁気データに合致する場合に本物の紙幣であると判定する。
【００３３】
また、識別センサ６０は、真贋判定で本物の紙幣であると判定した場合には、紙幣の向きを識別する。より詳細には、識別センサ６０は、イメージラインセンサである。識別部３４は、光を照射された紙幣からの反射光をイメージラインセンサで受光する。そして、識別部３４は、イメージラインセンサにて受光された光学情報を光電変換して画像データとする。識別部３４は、画像データを２値化して「紙幣に印刷されている金種を表す文字」を検出する。識別部３４は、検出された文字と予め記憶されている文字のマスターデータとを比較して、紙幣の向きを判定する。具体的には、識別部３４は、画像を読み取ったパターン（４パターンのうち１パターンのみを正方向とする）に基づいて紙幣の向きを識別する。
【００３４】
なお、紙幣の向きを識別するための材料としては、「紙幣に印刷されている金種を表す文字」に限るものではない。例えば、紙幣に記された個々の番号である「記番号」などを検出して紙幣の向きを識別するための材料としても良い。
【００３５】
収納庫センサ６１は、各収納庫４１〜４４に設けられ、各収納庫４１〜４４に差し込まれた紙幣を計数する。収納庫入口シャッタ６２は、各収納庫４１〜４４に設けられ、各収納庫４１〜４４の入口を開閉する。回収庫センサ６３は、回収庫４５の有無を識別する。
【００３６】
搬送モータ６４は、識別センサ６０の識別結果に応じて駆動され、搬送経路上を所定の位置まで紙幣を移動させる。電磁アクチュエータ６５は、識別センサ６０の識別結果に応じて選択的に動作させることにより、リジェクト庫４４に通じる主搬送路３６１から所望の収納部３５の各収納庫４１〜４３に通じる分岐搬送路３６２〜３６４へ経路を切り換える。
【００３７】
ＲＯＭ５２は、制御部５１が実行する各種プログラムや各種データを記憶する。ＲＡＭ５３は、制御部５１が各種プログラムを実行する際に一時的にデータやプログラムを記憶する。制御部５１は、ＲＯＭ５２に記憶されたプログラムをＲＡＭ５３に読み出して実行することにより、紙幣釣銭機１１の各部を統括的に制御する。
【００３８】
次に、紙幣釣銭機１１の制御部５１がＲＯＭ５２に記憶されたプログラムを実行することによって発揮する機能について説明する。なお、ここでは従来から知られている機能については説明を省略し、本実施形態の紙幣釣銭機１１が発揮する特徴的な機能について説明する。
【００３９】
紙幣釣銭機１１の制御部５１は、ＲＯＭ５２に記憶されたプログラムを実行することにより、紙幣揃え手段８１として機能する。
【００４０】
紙幣揃え手段８１は、識別部３４により紙幣の表裏方向および上下方向の組み合わせが一の組み合わせであると識別された紙幣を出金部３３から出金する。より詳細には、紙幣揃え手段８１は、取込部３２で取り込まれた紙幣であって識別部３４により紙幣の表裏方向および上下方向の組み合わせが一の組み合わせであると識別された紙幣について、搬送部３６を制御して収納部３５に収納する。
【００４１】
ここで、紙幣釣銭機１１の一般的な動作について簡単に説明する。オペレータは、ＰＯＳ端末２で処理された小計額に見合う現金を客から受け取る。現金を受け取った場合には、オペレータは、現金を釣銭機１（紙幣釣銭機１１、硬貨釣銭機１２）に収納する。このとき、現金に紙幣が含まれていれば、オペレータは、紙幣釣銭機１１に、紙幣を収納させる。
【００４２】
図５は、紙幣釣銭機１１の制御部５１（紙幣揃え手段８１）が実行する紙幣処理の流れを示すフローチャートである。紙幣揃え手段８１による紙幣処理は、入金口センサ５６が紙幣を検知すると動作する。
【００４３】
図５に示すように、紙幣揃え手段８１は、入金口センサ５６による紙幣の検知を待機する（ステップＳ１のＮｏ）。識別部３４が紙幣を検知すると（ステップＳ１のＹｅｓ）、紙幣揃え手段８１は、識別部３４によって紙幣の真贋および種別を識別する（ステップＳ２）。
【００４４】
加えて、紙幣の種別が識別できた場合（ステップＳ２のＹｅｓ）、紙幣揃え手段８１は、識別部３４によって紙幣の向きが正方向であるかを判断する（ステップＳ３）。
【００４５】
ステップＳ２で紙幣の種別が識別され（ステップＳ２のＹｅｓ）、かつ、ステップＳ３で紙幣の向きが正方向であると判断された場合（ステップＳ３のＹｅｓ）、紙幣揃え手段８１は、識別部３４の識別結果に応じた収納部３５の各収納庫４１〜４３へと搬送部３６を制御して紙幣を搬送する（ステップＳ４）。
【００４６】
一方、ステップＳ２で紙幣として識別されない場合（ステップＳ２のＮｏ）、紙幣揃え手段８１は、搬送部３６を制御して取り込んだ物を取込部３２の入金口３２ａへと戻すような搬送操作を行う（ステップＳ５）。
【００４７】
また、ステップＳ２で紙幣の種別が識別され（ステップＳ２のＹｅｓ）、かつ、ステップＳ３で紙幣の向きが正方向でないと判断された場合（ステップＳ３のＮｏ）、紙幣揃え手段８１は、搬送部３６を制御してリジェクト庫４４へと紙幣を搬送する（ステップＳ６）。
【００４８】
すなわち、収納部３５の各収納庫４１〜４３には、向きの揃った同一種別の紙幣のみが収納されることになる。
【００４９】
紙幣揃え手段８１は、ステップＳ２〜ステップＳ６の処理を取込部３２の入金口３２ａへ投入された全ての紙幣について実行する。紙幣揃え手段８１は、取込部３２の入金口３２ａへ投入された全ての紙幣についてステップＳ２〜ステップＳ６の処理を実行した場合（ステップＳ７のＹｅｓ）、処理を終了する。
【００５０】
このように、第１の実施形態の紙幣処理装置である紙幣釣銭機１１によれば、画像を読み取ったパターン（４パターンのうち１パターンのみを正方向とする）に基づいて紙幣の向きを検知し、設定した向きでない方向の紙幣を入金時にリジェクト庫４４へ収納する。これにより、収納部３５の各収納庫４１〜４３には、向きの揃った同一種別の紙幣のみが収納され、出金時には向きの揃った紙幣が出金されることになる。したがって、オペレータ（キャッシャ）は、入金の際や出金の際に紙幣の向きを揃える作業を行うことなく、金銭の受け渡しを行うことができる。
【００５１】
次に、上記実施形態の変形例について説明する。本変形例において言及しない部分は上記実施形態と同様とする。
【００５２】
上記実施形態では、ステップＳ２で紙幣の種別が識別され（ステップＳ２のＹｅｓ）、かつ、ステップＳ３で紙幣の向きが正方向でないと判断された場合（ステップＳ３のＮｏ）、紙幣揃え手段８１は、搬送部３６を制御してリジェクト庫４４へと紙幣を搬送するようにしたが、この搬送先を、例えば回収庫４５としてもよい。
【００５３】
さらに、紙幣揃え手段８１は、搬送先を、例えば万券収納庫４３としてもよい。この場合、万券収納庫４３内で、一万円札の中に各種の紙幣が混在することになるが、一万円札は釣銭に利用されないので、後に仕分け作業を要する以外の不都合はない。
【００５４】
（第２の実施形態）
次に、第２の実施形態について説明する。本実施形態において言及しない部分は第１の実施形態と同様とする。
【００５５】
第１の実施形態では、入金時に紙幣種別の識別と紙幣の向きの識別とを行うようにしたが、本実施形態では、紙幣の向きの識別についてのみを出金時に行うようにしたものである。
【００５６】
図６は、第２の実施形態にかかる紙幣釣銭機１１の制御部５１（紙幣揃え手段８１）が実行する紙幣処理の流れを示すフローチャートである。図６に示すように、ＰＯＳ端末２からの出金にかかる制御信号を受信すると（ステップＳ１１のＹｅｓ）、紙幣揃え手段８１は、制御信号に応じて搬送部３６を制御して収納部３５の各収納庫４１〜４２から所望の紙幣を所望の枚数だけ出金する出金処理を実行する（ステップＳ１２）。
【００５７】
次いで、紙幣揃え手段８１は、識別部３４によって紙幣の向きが正方向であるかを判断する（ステップＳ１３）。
【００５８】
ステップＳ１３で紙幣の向きが正方向であると判断された場合（ステップＳ１３のＹｅｓ）、紙幣揃え手段８１は、搬送部３６を制御して紙幣を出金部３３に搬送する（ステップＳ１４）。
【００５９】
一方、ステップＳ１３で紙幣の向きが正方向でないと判断された場合（ステップＳ１３のＮｏ）、紙幣揃え手段８１は、搬送部３６を制御して回収庫４５へと紙幣を搬送するとともに（ステップＳ１５）、向きが正方向でないと判断された紙幣について搬送部３６を制御して収納部３５から再度出金する再出金処理を実行する（ステップＳ１６）。紙幣揃え手段８１は、ステップＳ１３に戻り、再出金処理により出金された紙幣について識別部３４によって紙幣の向きが正方向であるかを判断する。
【００６０】
紙幣揃え手段８１は、ステップＳ１２〜ステップＳ１６の処理を出金にかかる制御信号に対応する全ての紙幣について実行する。紙幣揃え手段８１は、出金にかかる制御信号に対応する全ての紙幣についてステップＳ１２〜ステップＳ１６の処理を実行した場合（ステップＳ１７のＹｅｓ）、処理を終了する。
【００６１】
このように、第２の実施形態の紙幣処理装置である紙幣釣銭機１１によれば、出金の際に画像を読み取ったパターン（４パターンのうち１パターンのみを正方向とする）に基づいて紙幣の向きを検知し、設定した向きでない方向の紙幣を回収庫４５へ収納し、別の同一種の紙幣を出金する。これにより、出金時には向きの揃った紙幣が出金されることになる。したがって、オペレータ（キャッシャ）は、入金の際や出金の際に紙幣の向きを揃える作業を行うことなく、金銭の受け渡しを行うことができる。
【００６２】
なお、上記各実施形態では、紙幣処理装置として紙幣釣銭機１１を適用したがこれに限るものではない。例えば、ＰＯＳ端末２及び釣銭機１（紙幣釣銭機１１および硬貨釣銭機１２）の機能を備えた１台構成の装置を紙幣処理装置として適用するようにしても良い。ＰＯＳ端末２及び釣銭機１（紙幣釣銭機１１および硬貨釣銭機１２）の機能を備えた１台構成の装置としては、スーパーマーケット等の店舗に設置されて用いられるセルフチェックアウト装置（以降、単にセルフＰＯＳと称する）が挙げられる。
【００６３】
ここで、図７はセルフＰＯＳ２００の構成を示す外観斜視図である。尚、以下では、図１に示される同様の構成については同一の符号を付して示し、その重複する説明を省略する。図７に示すように、セルフＰＯＳ２００の本体２０２は、タッチパネル１０５が表面に配設された表示デバイス１０６や、商品の種別等を認識（検出）するために商品画像を読み取る商品読取部１１０を備えている。
【００６４】
表示デバイス１０６としては例えば液晶表示器が用いられる。表示デバイス１０６は、客にセルフＰＯＳ２００の操作方法を知らせるための案内画面や、各種の入力画面や、商品読取部１１０で読み込んだ商品情報を表示する登録画面、商品の合計金額や預かり金額、釣銭額等を表示し、支払い方法の選択をする精算画面等を表示する。
【００６５】
商品読取部１１０は、客が商品に付されたコードシンボルを商品読取部１１０の読取窓１０３にかざすことで商品画像を読み取るものである。
【００６６】
また、本体２０２の右側にはかごに入った未精算の商品を置くための商品載置台２０３が設けられ、本体２０２の左側には精算済みの商品を置くための商品載置台２０４が設けられ、精算済みの商品を入れるための袋を掛けるための袋掛けフック２０５や、精算済みの商品を袋に入れる前に一時的に置いておくための一時置き台２０６が設けられている。商品載置台２０３および２０４には計量器（図示せず）がそれぞれ備えられており、精算の前後で商品の重量が同じであることを確認する機能を有している。
【００６７】
また、セルフＰＯＳ２００の本体２０２には、精算用の紙幣の入金や釣り紙幣の受け取りを行うための釣銭機１（紙幣釣銭機１１および硬貨釣銭機１２）が設けられている。
【００６８】
このような場合、セルフＰＯＳ２００が紙幣処理装置として機能することになる。
【００６９】
本実施形態の紙幣処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００７０】
さらに、本実施形態の紙幣処理装置で実行されるプログラムを、インターネット等のネットワークに接続されたコンピュータ上に格納し、ネットワーク経由でダウンロードさせることにより提供するように構成しても良い。また、本実施形態の紙幣処理装置で実行されるプログラムをインターネット等のネットワーク経由で提供または配布するように構成しても良い。
【００７１】
本実施形態の紙幣処理装置で実行されるプログラムは、上述した各部（紙幣揃え手段８１）を含むモジュール構成となっている。ＣＰＵ（プロセッサ）は、上記記憶媒体からプログラムを読み出して、上記各部を主記憶装置上にロードする。これにより、紙幣揃え手段８１が、主記憶装置上に生成される。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１１，２００    紙幣処理装置
３１      筐体
３２      取込部
３３      出金部
３４      識別部
３５      収納部
３６      搬送部
４４      リジェクト庫
４５      回収庫
８１      紙幣揃え手段
【先行技術文献】
【特許文献】
【００７４】
【特許文献１】特開平１１−２５３１３号公報
【図１】
2016146066.tif 000003
【図２】
2016146066.tif 000004
【図３】
2016146066.tif 000005
【図４】
2016146066.tif 000006
【図５】
2016146066.tif 000007
【図６】
2016146066.tif 000008
【図７】
2016146066.tif 000009